(57)【要約】【課題】非撮影時における入力装置に対する誤入力を防止する手段において、非撮影時でストラップ取り付け部に負荷がかかる場合だけでなく、撮影時でストラップ取り付け部に負荷がかかる場合をも判別する手段を備える撮像装置を提供すること。【解決手段】各種情報を入力する情報入力装置を備えたカメラ（５０１）において、カメラ本体（１０１）の両端に設けたストラップ（５０２）を取り付ける取り付け部（１１３）と、前記ストラップ取り付け部（１１３）の両方に設置した前記ストラップ取り付け部（１１３）への引張方向検出手段と、前記引張方向検出手段は感度方向を有し、前記引張方向検出手段によって得られた感度方向によって、前記情報入力装置への操作を有効、又は、無効にするかを判断する判断手段を備えることを特徴とする。【選択図】図２
2016133696.tif 000002
【特許請求の範囲】
【請求項１】
各種情報を入力する情報入力装置を備えたカメラ（５０１）において、
カメラ本体（１０１）の両端に設けたストラップ（５０２）を取り付ける取り付け部（２０１）と、
前記ストラップ取り付け部（１１３）の両方に設置した前記ストラップ取り付け部（１１３）への引張方向検出手段と、
前記引張方向検出手段は感度方向を有し、
前記引張方向検出手段によって得られた感度方向によって、前記情報入力装置への操作を有効、又は、無効にするかを判断する判断手段を備えた撮像装置。
【請求項２】
前記ストラップ取り付け部（１１３）への引張方向検出手段は歪検出素子（２０３）であることを特徴とする請求項１に記載の撮像装置。
【請求項３】
前記歪検出素子（２０３）はストラップ取り付け部（１１３）の固定部（２０２）近傍に配置されることを特徴とする請求項１又は請求項２に記載の撮像装置。
【請求項４】
前記歪検出素子（２０３）を設置する向きは、前記歪検出手段（２０３）の感度方向とストラップ取り付け部（１１３）の変形方向とが平行になる向きとすることを特徴とする請求項１又は請求項２に記載の撮像装置。
【請求項５】
前記歪検出素子（２０３）が一定以上の歪み、かつ、前記歪検出素子（２０３）が圧縮する方向に変形が生じた場合、前記情報入力装置への入力を無効にすることを特徴とする請求項１又は請求項２に記載の撮像装置。
【請求項６】
ユーザーが前記ストラップ（５０２）を手に巻いて撮影する場合、前記２つの歪検出素子（２０３）が引張する方向に変形が生じ、前記情報入力装置への入力を有効にすることを特徴とする請求項１又は請求項２に記載の撮像装置。
【請求項７】
ユーザーが前記ハンドストラップ（５０３）をカメラに装着して撮影する場合、前記歪検出素子（２０３ｂ）においてのみ、引張する方向に変形が生じ、前記情報入力装置への入力を有効にすることを特徴とする請求項１又は請求項２に記載の撮像装置。
【請求項８】
ユーザーがカメラを突き出して撮影する場合、カメラはライブビュー撮影に設定されており、前記情報入力装置への入力を有効にすることを特徴とする請求項１又は請求項２に記載の撮像装置。
【発明の詳細な説明】
【技術分野】
【０００１】
本発明は、各種情報を入力する情報入力装置を有する撮像装置に関し、特に非撮影時における情報入力装置への誤入力を防止する方法に関する。
【背景技術】
【０００２】
デジタル一眼レフカメラ（以下、カメラと称す）およびビデオカメラ等といった携帯可能な撮像装置において、撮像装置の上面および背面には、各種設定項目を変更するための釦やレバーなどといった各種情報入力装置（以下、入力装置と称す）が設けられている。
【０００３】
さらに、近年の撮像装置においては、新たな入力装置として、スルー画表示するために撮像装置の背面に設けられた表示部に対して、撮影時の各種設定項目を選択する手段として、タッチパネルを備えたカメラが特許文献１にて紹介されている。
【０００４】
タッチパネルは検出電極を備えており、ユーザーの指によるタッチパネル表面のタッチ操作を検出するために用いられるものであり、タッチパネル表面にユーザーの指が接近すると、検出電極の表面の電位が変化し、この変化を検出回路が検出する。その後、検出回路の検出結果に基づき、システム制御回路によって、タッチ操作が行われたと判断される。その結果、撮影時の各種設定項目を選択することができる。
【０００５】
前記撮像装置には、ユーザーが撮影時に持ち運びが便利なように、撮像装置を吊るして携帯するための提げ紐（以下ストラップと称す）を取付けるための取り付け部が設けられている。一般的に、ユーザーはストラップを肩から吊るした状態で撮像装置を持ち歩く状況が多い。この場合、前記撮像装置の背面および上面に設けられた各種入力装置が、ユーザーの体の一部に接触し、ユーザーが意図せず、各種設定内容が変更されるなどの誤入力が発生する。
【０００６】
このような入力装置に対する誤入力を防止する手段を備えたカメラが特許文献２、及び、特許文献３にて紹介されている。
【０００７】
特許文献２に記載の従来例では、ストラップ取り付け部に圧力検出手段を備えたカメラが紹介されている。本構成によると、カメラがユーザーの肩や首から吊るされた場合、すなわち、ストラップ取り付け部に対して、一定の引張力が負荷された場合、カメラは自動的に撮影状態から非撮影状態に切り替わる。本構成によると、カメラがユーザーの肩や首から吊るされた場合、カメラは非撮影状態にあるため、入力装置に対して誤入力は発生しない。
【０００８】
特許文献３に記載の従来例では、ストラップに負荷される引張力によって変位動作するストラップ取り付け部を備えたカメラが紹介されている。本構成によると、非撮影状態でカメラがユーザーの肩や首から吊るされた場合、ストラップに負荷される引張力に応じて、ストラップ取り付け部が変位動作する。本構成によると、特許文献２に記載の従来例と同様に、カメラがユーザーの肩や首から吊るされた場合、カメラは非撮影状態にあるため、入力装置に対して誤入力は発生しない。
【先行技術文献】
【特許文献】
【０００９】
【特許文献１】特開２０１３−２００８４１号公報
【特許文献２】特開２０００−３１０８１３号公報
【特許文献３】特開２００６−１４８８２０号公報
【発明の概要】
【発明が解決しようとする課題】
【００１０】
しかしながら、前述の特許文献２、及び、特許文献３に記載の従来例によると、図５（１）〜（４）の状況下において、ユーザーが撮影動作に入ったにもかかわらず、カメラが非撮影状態になるため、入力装置への入力が無効になってしまう。
【００１１】
以下に、図５（１）〜（４）の各状態について説明する。図５（１）〜（４）は、従来の情報入力装置を備えたカメラをユーザーが持ち運んでいる状態、及び、撮影状態を示した図である。なお、図５（１）〜（４）に記した詳細図Ｘ、Ｙは、本発明の実施形態を説明するための図であるため、詳細は後述する。
【００１２】
図５（１）は非撮影時にカメラ５０１がストラップ５０２により肩から吊るされた状態を示した図である。
【００１３】
非撮影時に、ユーザーはカメラ５０１を持ち運びやすいように、また、すぐにカメラ５０１を構えて撮影態勢に移行できるように、カメラ５０１を撮影状態にしたまま、ストラップ５０２により肩から吊るす場合がある。この場合、ストラップ５０２はカメラ５０１の自重により、地面方向に張った状態となる。そのため、図５（１）のカメラ５０１の状態において、ストラップ５０２を取り付ける部分には、ストラップ５０２の引張方向に負荷がかかる。この場合、特許文献２、及び、特許文献３に記載の従来例では、カメラは非撮影状態となり、入力装置への入力が無効となるため、誤入力は発生しない。
【００１４】
図５（２）は撮影時にユーザーがカメラ５０１に取り付けたストラップ５０２を手に巻いて、カメラ５０１を構えた状態を示した図である。
【００１５】
図５（２）において、ユーザーがカメラ５０１を構えた際、ストラップ５０２がファインダあるいは表示装置に被さることで、撮影の支障になる場合がある。これを避けるために、ユーザーはストラップ５０２を手に巻いた状態で撮影することがある。このとき、ストラップを手に巻いた際の引張力により、ストラップ５０２を取り付ける部分には、図５（１）のカメラ５０１の状態と同様に、ストラップ５０２の引張方向に負荷がかかる。この場合、特許文献２、及び、特許文献３に記載の従来例では、カメラは非撮影状態となり、撮影時にも関わらず、入力装置への入力が無効になるという問題が生じる。
【００１６】
図５（３）は撮影時にユーザーがカメラ５０１にストラップ５０２の代わりにハンドストラップ５０３を取り付けて、カメラ５０１を構えた状態を示した図である。
【００１７】
撮影時に、ハンドストラップ５０３を用いることで、ユーザーはカメラ５０１を安定して把持することができる。そのため、カメラ５０１を把持した際のハンドストラップの引張力により、ストラップ５０２を取り付ける部分には、図５（１）のカメラ５０１の状態と同様に、ストラップ５０２の引張方向に負荷がかかる。この場合、特許文献２、及び、特許文献３に記載の従来例では、カメラは非撮影状態となり、撮影時にも関わらず、入力装置への入力が無効になるという問題が生じる。
【００１８】
図５（４）は撮影時にユーザーがストラップ５０２を首にかけたまま、カメラ５０１を前方に突き出して構えた状態を示した図である。
【００１９】
撮影時に、ユーザーがカメラ５０１を被写体に近づけようとして、肩や首にストラップ５０２をかけたまま、カメラ５０１を前に突き出す場合がある。この場合、ストラップ５０２はユーザーから見て前方向に突っ張った状態になる。そのため、カメラ５０１を前方に突き出した際の引張力により、ストラップ５０２を取り付ける部分には、図５（１）のカメラ５０１の状態と同様に、ストラップ５０２の引張方向に負荷がかかる。この場合、特許文献２、及び、特許文献３に記載の従来例では、カメラは非撮影状態となり、撮影時にも関わらず、入力装置への入力が無効になるという問題が生じる。
【００２０】
以上より、図５（２）〜（４）の撮影状態の場合、特許文献２、及び、特許文献３に記載の従来例では、撮影状態にもかかわらず、各種撮影条件の設定ができないといった問題が生じることになる。
【００２１】
そこで、本発明の目的は、非撮影時における入力装置に対する誤入力を防止する手段において、非撮影時でストラップ取り付け部に負荷がかかる場合だけでなく、撮影時でストラップ取り付け部に負荷がかかる場合をも判別する手段を備える撮像装置を提供することにある。この誤入力を防止する手段により、撮影時にも関わらず、入力装置への入力が無効になるという問題を解決することにある。
【課題を解決するための手段】
【００２２】
上記目的を達成するために、本発明の各種情報を入力する情報入力装置を備えた撮像装置は、
各種情報を入力する情報入力装置を備えたカメラ（５０１）において、
カメラ本体（１０１）の両端に設けたストラップ（５０２）を取り付ける取り付け部（１１３）と、
前記ストラップ取り付け部（１１３）の両方に設置した前記ストラップ取り付け部（１１３）への引張方向検出手段と、
前記引張方向検出手段は感度方向を有し、
前記引張方向検出手段によって得られた感度方向によって、前記情報入力装置への操作を有効、又は、無効にするかを判断する判断手段を備えることを特徴とする。
【発明の効果】
【００２３】
本発明の撮像装置によれば、ストラップ取り付け部にかかる負荷の方向を検知することが可能である。ストラップ取り付け部に負荷がかかる状態において、撮像装置が非撮影状態であることだけでなく、撮影状態であることも判別することが可能である。非撮影時でストラップ取り付け部に負荷がかかる場合だけ入力装置への操作を無効にして、入力装置に対する誤入力を防止することが可能である。
【図面の簡単な説明】
【００２４】
【図１】本発明の実施形態であるカメラの構成を説明するための背面図である。
【図２】本発明の実施形態であるカメラに設けたストラップ取り付け部への引張方向検出手段の構成図である。
【図３（１）】本発明の実施形態であるカメラに設けたストラップ取り付け部に引張力が負荷された状態を説明するための断面図である。
【図３（２）】本発明の実施形態であるカメラに設けたストラップ取り付け部に引張力が負荷された状態を説明するための断面図である。
【図３（３）】本発明の実施形態であるカメラに設けたストラップ取り付け部に引張力が負荷された状態を説明するための断面図である。
【図３（４）】本発明の実施形態であるカメラに設けたストラップ取り付け部に引張力が負荷された状態を説明するための断面図である。
【図３（５）】歪検出素子の特性を説明するための図である。
【図４】本発明の実施形態であるカメラの状態、撮影状態、電気信号の関係について示した表である。
【図５（１）】本発明の実施形態であるカメラをユーザーが持ち運んでいる状態を示した図である。
【図５（２）】本発明の実施形態であるカメラの撮影状態を示した図である。
【図５（３）】本発明の実施形態であるカメラの撮影状態を示した図である。
【図５（４）】本発明の実施形態であるカメラの撮影状態を示した図である。
【発明を実施するための形態】
【００２５】
以下に、本発明の好ましい実施の形態を、添付の図面に基づいて詳細に説明する。
【実施例１】
【００２６】
図１を参照して、カメラ本体１０１の背面部に設けられた各種入力装置について説明する。図１はカメラ本体１０１を背面側から見た図である。
【００２７】
図１において、ＡＦスタートボタン１０２は、不図示のレンズの焦点検出動作（ＡＦ）を任意のタイミングで始動するためのボタンである。ＡＥロックボタン１０３は、露出値のロック等に用いられるボタンである。焦点検出領域選択ボタン１０４は、焦点検出領域の選択を行う際に操作するボタンである。動画撮影レバー１０５は、カメラ本体１０１の撮影モードを被写体のスルー画像をＬＣＤ等の表示装置１０７にスルー画表示しながら撮影するライブビュー撮影モードに切り替え、かつ、静止画撮影から動画撮影に切り替えるためのレバーである。
【００２８】
動画撮影スタート／ストップボタン１０６は、動画撮影を任意のタイミングで開始する、又は、停止するためのボタンである。表示装置１０７は、撮影中の動画を表示する、又は、撮影時における各メニュー項目の設定や動画または画像の再生、消去、情報表示を行うための表示装置である。表示装置１０７はタッチパネルであり、タッチパネル１０７に対するタッチ操作に応じて、シャッタ速度、絞り値、ＩＳＯ感度などの各種設定や動作指示を行うことができる。回転操作ダイヤル１０８は、ＡＦ、連写、露出補正等の各種設定をする際に用いる部材であり、回転方向や回転量に応じて撮影設定、又は、設定量が変更される。
【００２９】
回転操作ダイヤル１０８の中央部にはマルチコントローラ１０９が設けられており、８方向に傾倒操作が可能である。マルチコントローラ１０９は、前述の表示装置１０７でのタッチ操作と同様に、シャッタ速度、絞り値、ＩＳＯ感度などの、撮影条件を設定する、あるいは、表示装置１０７に表示されるメニュー画面で、項目の選択に使用する入力装置である。
【００３０】
ファインダ１１０は、ユーザーが被写体を観察するための窓であり、被写体を観察すると同時に、ファインダ１１０の下部に表示された各種設定を確認することができる。再生ボタン１１１は、撮影した静止画像や動画像を表示装置１０７に表示するボタンである。削除ボタン１１２は、撮影した静止画像や動画像のデータを消去するボタンである。
【００３１】
ストラップを取り付けるためのストラップ取り付け部１１３ａ、ｂは、それぞれカメラ本体１０１の両端に設けられており、ストラップを通すための貫通孔であるストラップ取り付け穴２０１ａ、ｂを備えている。ストラップ取り付け穴２０１ａ、ｂの詳細については後述する。
【００３２】
ストラップ取り付け部１１３ａは平板形状であり、カメラ本体１０１の小型化のために、カメラ本体１０１の横方向に突出している。また、ストラップ取り付け穴２０１ｂを備えたストラップ取り付け部１１３ｂはＬ字形状であり、ユーザーがカメラ本体１０１をグリップした際に、手と干渉することを避けるため、カメラ本体の上方向に突出している。ストラップ取り付け部１１３ａ、ｂの形状は、平板形状、または、Ｌ字形状に限らず、その要旨の範囲内で種々の変形及び変更が可能である。
【００３３】
以上のように、カメラ本体１０１の背面部には多くの入力装置が配置されている。前述のように、ユーザーはストラップ５０２を肩から吊るした状態でカメラ本体１０１を持ち歩く状況が多い。この場合、前記撮像装置の背面に設けられた各種入力装置が、ユーザーの体の一部に接触し、入力装置の誤入力が発生する。例えば、再生ボタン１１１、及び、削除ボタン１１２が押された場合、画像が消去されてしまう。
【００３４】
次に、図２を参照して、本発明におけるストラップ取り付け部１１３ａ、ｂへの引張方向検出手段の構成について説明する。図２（１）はカメラの一端に設けた、ストラップ取り付け部１１３ａとストラップ取り付け部１１３ａへの引張方向検出手段の構成図である。
【００３５】
ストラップ取り付け部１１３ａは平板形状であり、一端にストラップを通すための貫通孔であるストラップ取り付け穴２０１ａが設けられている。ストラップ取り付け部１１３ａのストラップ取り付け穴２０１ａと対向する端には、ストラップ取り付け部１１３ａをカメラ本体１０１に固定するための固定部２０２ａが設けられている。引張力を最大感度で検出できるように、固定部２０２ａの近傍には、歪検出素子２０３ａが設置されている。歪検出素子２０３ａ、ｂは、本実施形態における引張方向検出手段である。
【００３６】
図２（２）はカメラのストラップ取り付け部１１３ａと対向する一端に設けたストラップ取り付け部２０１ｂとストラップ取り付け部１１３ｂへの引張方向検出手段の構成図である。ストラップ取り付け部１１３ｂはＬ字形状であり、一端にストラップを通すための貫通孔であるストラップ取り付け穴２０１ｂが設けられている。ストラップ取り付け部１１３ｂのストラップ取り付け穴２０１ｂと対向する端には、ストラップ取り付け部１１３ｂをカメラ本体１０１に固定するための固定部２０２ｂが設けられている。引張力を最大感度で検出できるように、固定部２０２ｂの近傍には、歪検出素子２０３ｂが設置されている。
【００３７】
以上のように、カメラ本体１０１は、２つのストラップ取り付け部１１３ａ、及び、２０１ｂを備えており、ストラップ取り付け部１１３ａ、ｂには、歪検出素子２０３ａ、及び、２０３ｂが設置されている。
【００３８】
次に、歪検出素子２０３ａ、ｂのストラップ取り付け部１１３ａ、ｂに対する配置について説明する。歪検出素子２０３は、検出する歪みに対して、歪検出素子２０３の対角線方向に感度方向を有している。そのため、ストラップ取り付け部１１３ａ、ｂの変形方向、すなわち、ストラップ取り付け穴２０１ａ、ｂと固定部２０２ａ、ｂを結ぶ線と歪検出素子２０３ａ、ｂの対角線が平行になるように、歪検出素子２０３ａ、ｂは設置されている。また、歪検出素子２０３ａ、ｂは、フレキシブル基板２０４ａ、ｂによって、不図示のシステム制御回路に接続されている。
【００３９】
図３におけるフレキシブル基板２０４ａ、ｂ上の歪検出素子２０３ａ、ｂの配置は一例であり、その要旨の範囲内で種々の変形及び変更が可能である。歪検出素子２０３ａ、ｂに対して、圧縮変形あるいは引張変形が生じた場合、それぞれの変形、すなわち、感度方向に応じた電気信号がフレキシブル基板２０４ａ、ｂを通して、不図示のシステム制御回路に送信する。その後、不図示のシステム制御回路が上記電気信号によって、ストラップ取り付け部１１３ａ、ｂに負荷された引張方向を判別する。
【００４０】
次に、図３（１）〜（５）を参照して、ストラップ取り付け部１１３ａ、ｂに負荷される引張力と歪検出素子３０３ａ、ｂに負荷される力の関係について説明する。図３（１）、（２）はストラップ取り付け部１１３ａを図２（１）の断面線Ａから見た図である。また、図３（３）、（４）はストラップ取り付け部１１３ｂを図２（２）の断面線Ｂから見た図である。図３（１）〜（４）におけるストラップ取り付け部１１３ａ、ｂ、及び、歪検出素子２０３ａ、ｂの変形量は、本構成においては微小であるため、説明しやすいように変形を拡大表示している。
【００４１】
ここで、図３（５）を用いて、歪検出素子２０３ａ、ｂの特性について説明する。歪検出素子２０３ａ、ｂは、圧縮方向の変形が生じると正の電気信号を送信し、引張方向の変形が生じると負の電気信号を送信し、それぞれの電気信号は変形量に比例する特性がある。このとき、図３（１）に示すように、ストラップ取り付け部１１３ａに対して上方向に引張力が負荷されると、歪検出素子２０３ａ、ｂには圧縮方向の変形が生じるため、正の電気信号３０１を不図示のシステム制御回路に送信する。
【００４２】
また、図３（２）に示すように、ストラップ取り付け部１１３ａ、ｂに対して、下方向に引張力が負荷されると、歪検出素子２０３ａ、ｂには引張方向の変形が生じるため、負の電気信号３０１を不図示のシステム制御回路に送信する。送信される電気信号３０１の正負を判別することにより、ストラップ取り付け部１１３ａ、ｂに対して負荷された引張力の方向を判別することが可能である。
【００４３】
次に、図４の表における状態１〜４を判別する方法について説明する。図４の表はカメラ５０１の状態、撮影状態、前述の電気信号の関係について示した表である。
【００４４】
まず、状態１、状態２を判別する方法について、以下説明する。図４における状態１のカメラ５０１は、前述の図５（１）に示すように、非撮影時にユーザーの肩からストラップ５０２によって吊るされた状態である。このとき、ストラップ５０２はカメラ５０１の自重により、引っ張られた状態となる。このため、前述の図３（１）、（３）に示すように、ストラップ取り付け部１１３ａ、ｂの変形に伴い、歪検出素子２０３ａ、ｂには圧縮方向に変形が生じる。
【００４５】
次に、図４における状態２のカメラ５０１は、前述の図５（２）に示すように、撮影時にユーザーがストラップ５０２を手に巻いた状態である。このとき、ストラップ５０２はユーザーの手の方向に引張力が負荷される。そのため、前述の図３（２）、図４（４）に示すように、ストラップ取り付け部１１３ａ、及び、ストラップ取り付け部１１３ｂの変形に伴い、歪検出素子２０３ａ、及び、歪検出素子２０３ｂには引張方向に変形が生じる。すなわち、状態１であれば、引張力は歪検出素子２０３ａ、ｂが圧縮変形する方向に負荷され、状態２であれば、歪検出素子２０３ａ、ｂが引張変形する方向に負荷される。
【００４６】
このように、引張力の負荷方向の違いによって、状態１と状態２を判別することが可能となる。その後、判別結果によって状態１と判断された場合、入力装置への入力を無効にし、また、状態２と判断された場合、入力装置への入力を有効にする。
【００４７】
次に、状態３を判別する方法について、以下説明する。状態３のカメラ５０１は、前述の図５（３）に示すように、撮影時にユーザーがカメラ５０１にストラップ５０２の代わりにハンドストラップ５０３を取り付けた状態である。このとき、図５（３）に示すように、ハンドストラップ５０３はストラップ取り付け穴２０１ｂ、及び、不図示の三脚座に取り付けられる。このため、ストラップ取り付け部１１３ａには引張力は負荷されず、ストラップ取り付け部１１３ｂにのみ引張力が負荷される。そして、状態２のストラップ取り付け部１１３ｂと同様に、歪検出素子２０３ｂに対して前述の図３（４）に示すような引張方向の変形が生じる。一方、状態１、及び、状態２であれば、ストラップ取り付け部１１３ａ、及び、ストラップ取り付け部１１３ｂの両方に引張力が負荷される。
【００４８】
このように、片方のストラップ取り付け部１１３ｂのみ引張力が負荷されたことを判別手段とすることで、状態３を判別することが可能となる。その後、判別結果によって状態３と判断された場合、入力装置への入力を有効にする。
【００４９】
最後に、状態４を判別する方法について、以下説明する。状態４のカメラ５０１は、前述の図５（４）に示すように、撮影時にユーザーがストラップ５０２を首にかけたまま、カメラ５０１を前方に突き出した状態であり、ストラップ５０２は前方向に突っ張った状態になる。このような状態には、高い位置から撮影するハイアングル撮影と低い位置から撮影するローアングル撮影がある。
【００５０】
ハイアングル撮影の場合、ストラップ５０２は前方上方向に突っ張った状態になる。そのため、前述の図３（２）、（４）に示すように、ストラップ取り付け部１１３ａ、ｂの変形に伴い、歪検出素子２０３ａ、ｂには引張方向に変形が生じる。次に、ローアングル撮影の場合、ストラップ５０２は前方下方向に突っ張った状態になる。そのため、前述の図３（１）、（３）に示すように、ストラップ取り付け部１１３ａ、ｂの変形に伴い、歪検出素子２０３ａ、ｂには圧縮方向に変形が生じる。
【００５１】
以上のように、ストラップ取り付け部１１３ａ、ｂには、様々な方向の引張力が負荷されるため、引張方向のみでは、状態４の判別は難しい。そのため、状態４を判別する手段として、歪検出素子２０３ａ、ｂからの電気信号３０１は使用しない。
【００５２】
そこで、カメラ５０１の撮影モードに着目する。状態２、及び、状態３では、ユーザーはファインダ１１０を覗きながら、被写体を確認して撮影する。一方、状態４のように、カメラ５０１を前方に突き出して撮影する場合、ユーザーはファインダ１１０を覗くことができない。このため、撮影モードをライブビュー撮影モードに切り替えて、表示装置１０７に表示される被写体を確認しながら撮影する。
【００５３】
このように、撮影モードの違いを判別手段に用いることで、状態４を判別することが可能となる。その後、判別結果によって状態４と判断された場合、入力装置への入力を有効にする。
【００５４】
以上のように、状態１〜４をそれぞれ判別することが可能となる。すなわち、上記判別方法により、図５（２）〜（４）の撮影状態において、ユーザーが撮影状態にもかかわらず、各種撮影条件の設定ができないといった問題を解決することが可能となる。
【００５５】
以上、本発明の好ましい実施形態について説明したが、本発明はこれらの実施形態に限定されず、その要旨の範囲内で種々の変形及び変更が可能である。例えば、上記実施形態では、電子機器としてカメラを例示したが、デジタルコンパクトカメラやデジタルビデオカメラ等の撮像装置や撮像装置以外の電子機器にも適用可能である。
【符号の説明】
【００５６】
１０１  カメラ本体、１１３  ストラップ取り付け部、２０２  固定部、
２０３  歪検出素子、５０１  カメラ、５０２  ストラップ、
５０３  ハンドストラップ
【図１】
2016133696.tif 000003
【図２】
2016133696.tif 000004
【図３（１）】
2016133696.tif 000005
【図３（２）】
2016133696.tif 000006
【図３（３）】
2016133696.tif 000007
【図３（４）】
2016133696.tif 000008
【図３（５）】
2016133696.tif 000009
【図４】
2016133696.tif 000010
【図５（１）】
2016133696.tif 000011
【図５（２）】
2016133696.tif 000012
【図５（３）】
2016133696.tif 000013
【図５（４）】
2016133696.tif 000014